(57)【要約】【課題】操作性の良好な操作摘みを備えた無口金電球用ソケットを提供し、これによって基板に対しソケットを迅速・確実に着脱し得るようにする。【解決手段】装着された無口金電球Ｌ側から基板８の装着孔８ｃに嵌挿され軸心回りの所定方向への回動操作により係止した状態で無口金電球Ｌへの通電が可能となるように構成された無口金電球Ｌ用のソケット１であり、無口金電球Ｌを受容する電球受容部２と、無口金電球の装着側の反対側で電球受容部２を横断するように突設された操作摘み部３とが備えられ、操作摘み部３の側面には、軸心方向に延設し指を掛止めする複数条の凸条３ｃが設けられている。【選択図】　図１
2004022329.tif 000002
【特許請求の範囲】
【請求項１】
装着された無口金電球側から基板の装着孔に嵌挿され軸心回りの所定方向への回動操作により係止された状態で無口金電球への通電が可能となるように構成された無口金電球用ソケットであって、前記無口金電球を同心で受容する電球受容部と、この電球受容部における無口金電球が装着されている側と反対側の面に突設された操作摘み部とを有し、前記操作摘み部の側面には、指を掛け止めし前記操作摘み部を挟持する複数個の掛止めが設けられていることを特徴とする無口金電球用ソケット。
【請求項２】
掛止めは、電球受容部の軸心と平行して凸設された凸条であることを特徴とする請求項１記載の無口金電球用ソケット。
【請求項３】
掛止めは、電球受容部の軸心と平行して凹設された凹条であることを特徴とする請求項１記載の無口金電球用ソケット。
【請求項４】
掛止めは、電球受容部の軸心と交差する方向に凸設された凸条であることを特徴とする請求項１記載の無口金電球用ソケット。
【請求項５】
掛止めは、電球受容部の軸心と交差する方向に凹設された凹条であることを特徴とする請求項１記載の無口金電球用ソケット。
【請求項６】
操作摘み部は、電球受容部と同心の突出部と、この突出部を挟んだ対称位置から相対方向に延設され且つ前記突出部に連設して設けられ、側面に指を掛止めする複数個の掛止めを設けてなる少なくとも１つの挟持片とからなる請求項１乃至５のいずれかに記載の無口金電球ソケット。
【請求項７】
操作摘み部は、電球受容部と同心の突出部と、この突出部を挟んだ対称位置から相対方向に延設され且つ前記突出部に連設して設けられる挟持片とからなり、前記挟持片は、４面における第１側面と第２側面との間の幅が前記突出部から遠ざかるにしたがって漸増してなり、前記第１側面と第２側面の少なくとも一方に指を掛止めする複数個の掛止めを有してなる請求項１乃至５のいずれかに記載の無口金電球用ソケット。
【発明の詳細な説明】
【０００１】
【発明の属する技術分野】
本発明は、例えば基板に取り付けられて情報表示用として使用される無口金電球のソケットに関するものである。
【０００２】
【従来の技術】
従来より無口金電球は、各種表示用として多用されており、この無口金電球は、例えば実用新案登録公報第２５９１６６７号に示されるように、口金が設けられておらず、扁平に形成された封止部の圧潰面に沿って通電用の端子が設けられた構成となっている。かかる無口金電球は、専用のソケットに通電端子側から電球受容部に装着された状態で、当該ソケットを取付ける基板の装着孔に差し込まれて係止されることにより基板に装着されるようになっている。
【０００３】
そのソケットとしては、例えば実用新案登録公報第２５７５６３７号に示されるように、無口金電球が同心で嵌挿される装着孔を備えた筒状の電球受容部と、この電球受容部を横断するように突設された操作摘み部とを備えて構成されている。そして、無口金電球側から電球受容部を取付け基板の装着孔に差し込んで操作摘み部を一方向に向けて電球受容部の軸心回りに回動操作することによりソケットが基板に係止され、操作摘み部を係止とは逆方向に回動操作すれば、前記係止が解除されてソケットを基板から取外すことができるようになっている。
【０００４】
【発明が解決しようとする課題】
ところで、上記のような無口金電球は、近年小型化傾向にあり、最近ではガラスバルブの外径が略５ｍｍ〜１０ｍｍ程度のものが多用されており、一方、ソケットはかかる寸法の無口金電球に対応して設けられるものであるため、上記した操作摘み部はやっと指で摘み得る大きさにしか寸法設定することができず、かかる小さな操作摘み部を指で摘んで回動操作を行おうとすれば、ときには指が滑って操作が難しいことがあり、これによって基板に対してソケットを迅速に着脱操作し得なくなり作業能率が低下するという問題点を有している。
【０００５】
本発明は、上記のような問題点を解消するためになされたものであり、操作性の良好な操作摘み部を備えた無口金電球用ソケットを提供し、これによって基板に対するソケットの迅速な着脱操作を可能ならしめることを目的としている。
【０００６】
【課題を解決するための手段】
本発明の請求項１記載の無口金電球用ソケットは、装着された無口金電球側から基板の装着孔に嵌挿され軸心回りの所定方向への回動操作により抜け止め状態で無口金電球への通電が可能となるように構成された無口金電球用ソケットであって、前記無口金電球を同心で受容する電球受容部と、この電球受容部における無口金電球側と反対側の面に突設された操作摘み部とを有してなり、操作摘み部の側面に、指が引っ掛って操作摘み部を強固に挟持する複数個の掛止めが設けられていることを特徴とするものである。
【０００７】
この発明によれば、無口金電球用ソケットを基板に対して着脱するに際し、掛止めによって操作摘み部を強固に挟持できるので、指で摘んだ操作摘み部を軸心回りに回動させた場合に、指先が滑って操作摘み部から外れるような不都合が有効に防止され、たとえ操作摘み部が指先の大きさに比べて相当小さくても、操作摘み部を確実に回動させて無口金電球用ソケットを容易に迅速に着脱することができ、当該ソケットの小型化に対応することが可能になる。
【０００８】
請求項１記載の発明において、操作摘み部の掛止めを、電球受容部の軸心と平行に設けた凸設された凸条としてもよいし（請求項２）、逆に凹条としてもよい（請求項３）。また、操作摘み部の掛止めを、電球受容部の軸心と交差する方向に設けた凸設された凸条としても良いし（請求項４）、電球受容部の軸心と交差する方向に凹設された凹部としても良い（請求項５）。
【０００９】
請求項６にかかる本発明の無口金電球用ソケットは、請求項１乃至５に記載のいずれかの操作摘み部を、電球受容部と同心の突出部と、この突出部を挟んだ対称位置から相対方向に延設され且つ前記突出部に連設して設けられ、側面に指を掛止めする複数個の掛止めを設けてなる少なくとも１つの挟持片とからなるものであり、操作摘み部をかかる構成にすることによって、挟持片を強固に摘むことができるので、操作摘み部を確実に回動させて無口金電球用ソケットを容易に且つ迅速に着脱することができる。
【００１０】
請求項７にかかる本発明の無口金電球用ソケットは、請求項１乃至５に記載のいずれかの操作摘み部を、電球受容部と同心の突出部と、この突出部を挟んだ対称位置から相対方向に延設され且つ前記突出部に連設して設けられる挟持片とからなり、挟持片の第１側面と第２側面との間の幅が前記突出部から遠ざかるにしたがって漸増し、前記第１側面と第２側面の少なくとも一方に指を掛止めする複数個の掛止めを設けてなるてなるもので、このような構成であっても操作摘み部を確実に回動させて無口金電球用ソケットを容易に着脱することができる。
【００１１】
【発明の実施の形態】
図１は、本発明に係る無口金電球用ソケットの一実施形態を示す斜視図であり、ソケットが取付け基板の装着孔に差し込まれる直前の状態を示している。また、図２は、図１のソケットのＡ方向から見た平面図であり、図３は、Ｂ方向から見た側面図である。
【００１２】
これらの図に示すように、無口金電球用のソケット１は、主として円筒状の無口金電球Ｌを装着して受容するために端部が封止されてなる電球受容部２と、この電球受容部２の無口金電球Ｌが装着されている側と反対側に膨設された操作摘み部３とを備えた基本構成より成る。
【００１３】
そして電球受容部２には、電球が受容される部分の内径寸法が無口金電球Ｌの外径寸法より僅かに小さく寸法設定された装着筒４が設けられ、また装着筒４の外周面には、その中心軸に対して相対位置に形成された一対の係止突片５（図１および図３には一方側の係止突片５のみを示している）が設けられ、さらに装着筒４の図１における上部に同心で延設された当該装着筒４より大径のフランジ６が併設されている。
【００１４】
この装着筒４は、フランジ６からの突出長さが無口金電球の封止部分及びガラスバルブ下端部が嵌入されるように、例えば電球Ｌの長さ寸法の略１／４以下程度に寸法設定され、これによって無口金電球Ｌは、装着筒４内に差し込まれた状態で、図１に示すように、半分以上が外部に露出され光を発するガラスバルブ部分が露出した状態になされている。
【００１５】
かかる装着筒４には、図１及び図５に示すように、係止突片５から９０°位相ずれした位置に切り欠いて形成した一対の切欠き部４ａが設けられている。この切欠き部４ａは、後に詳述する端子部材７を電球受容部２に装着するためのものである。
【００１６】
係止突片５は、図３に示すように、フランジ６から垂下された軸心方向に延びる縦突片５ａと、この縦突片５ａの先端部から横方向に延設された横突片５ｂと、この横突片５ｂの先端部でフランジ６に向けて突設された係止突部５ｃとからなり装着筒４と一体に構成されている。
【００１７】
これら縦突片５ａ、横突片５ｂおよび係止突部５ｃの装着筒４外面からの突出長さは、全て同一で且つフランジ６の最外径よりも小さい径寸法の円弧に沿うような形状に成されている。また、横突片５ｂの係止突部５ｃより先端側には、横突片５ｂの先端からフランジ側に向って先下がりの傾斜５ｄが形成され、係止突片５は、この傾斜５ｄに誘導されることによって後述する基板８の装着孔８ｃの縁部に抜け止め状態で装着されるようになっている。
【００１８】
フランジ６は、基板８にソケットを強固に係止して取り付けるためのものであり、基板８のソケット装着孔８ｃの孔径寸法より大きい径寸法に成されている。また、フランジ６には、横突片５ｂに対応した位置に型抜き孔６ａが形成されている。この型抜き孔６ａは、ソケット１を射出成形で製造した際に金型の中子が引き抜かれることによって形成されたものである。この型抜き穴６ａは、この部位でなくとも他の部位でも良い。
【００１９】
また、操作摘み部３は、電球受容部２の装着筒４の軸心からフランジ６の外端面に向って４方向に延設されており、図１および図２に示すように、装着筒４と反対側の面（図１における上面）に同心で突設された円筒状の突出部３ａと、この突出部３ａを挟んで対称にフランジ６の最外面に向って突設された４つの挟持片３ｂとからなっている。かかる操作摘み部３は、係止突片５に対して９０°の位相ずれでフランジ６を横断するように方向設定されている。
【００２０】
この操作摘み部３における突出部３ａは、装着筒４より若干小径に径設定されているとともに、挟持片３ｂは、本実施形態においては、径方向に外方へ向けて先広がりに、すなわち突出部３ａの中心軸からフランジ６の最外面に向かうに従って広がりを持つように二股状に形状設定され、これによって操作摘み部３を親指と人差指とで摘んで軸心回りに回動させるように成されている。
【００２１】
さらに、このように構成された挟持片３ｂの各側面には、電球受容部２の軸心方向であるとともに突出部３ａの軸心方向に延設され断面が円弧状を呈し滑らないように指でしっかりと挟持しうるように複数の凸条３ｃが突設されている。本実施形態においては、凸条３ｃは、それぞれ３条ずつが設けられている。かかる凸条３ｃの存在により、ソケット１を装着孔８ｃに嵌挿した状態で操作摘み部３を指で摘んで軸心回りに回動操作した際に、操作摘み部３を摘んだ指が挟持片３ｂから外れるのをより確実に防止できる。
【００２２】
つぎに、図４〜図５を基に、ソケット１における無口金電球Ｌの装着構造について説明する。図４は、図１に示すソケット１のＣ−Ｃ線断面図であり、図５はＤ方向から見た平面図である。
【００２３】
まず、図４に示すように、無口金電球Ｌは、フィラメントが内装されたガラスバルブの円筒部Ｌ１と、この円筒部Ｌ１の基端側（図４の上側）に封止部が圧潰された扁平部Ｌ２とからなっている。扁平部Ｌ２の両側部端面からは無口金電球Ｌのフィラメントに電気接続された導出線Ｌ３が引き出され、この導出線Ｌ３は扁平部Ｌ２を挟み且つ扁平部の表裏面に当接するように折り返され、これにより無口金電球Ｌ側の接続端子が形成されている。また、扁平部Ｌ２の各側面中央位置には、軸心方向に延びている円弧状の膨出部Ｌ４がそれぞれ膨設されている。
【００２４】
そして、ソケット１は、このような無口金電球Ｌの基端側を装着可能とするために、装着筒４の内径寸法が無口金電球Ｌの円筒部Ｌ１の外径寸法より僅か大きめに寸法設定されているとともに、操作摘み部３に扁平部Ｌ２を嵌挿するための嵌挿室３ｄが凹設されている。装着筒４の内周面には筒の中心軸と平行に延びている案内突条４ｂが複数本膨設され、無口金電球Ｌの円筒部Ｌ１は、これらの案内突条４ｂと摺動接触することによって装着筒４に対する挿脱操作が円滑になるとともに、電球の装着状態が安定するようになっている。
【００２５】
この嵌挿室３ｄは、無口金電球Ｌの扁平部Ｌ２の形状に対応するように横長に形成されている。かかる嵌挿室３ｄの長尺側の対向内壁面には無口金電球Ｌの膨出部Ｌ４に対応するように軸心方向に延びた案内条３ｅがそれぞれ突設されている。各案内条３ｅの対向面には、膨出部Ｌ４に対応するように軸心方向に延びる円弧穴３ｆがそれぞれ凹設され、無口金電球Ｌの扁平部Ｌ２は、膨出部Ｌ４がこれらの円弧穴３ｆに案内されつつ嵌挿室３ｄに嵌挿されるようになっている。
【００２６】
このような嵌挿室３ｄ及び前述の切り欠き４ａに、一対の端子部材７が嵌挿され装着される。端子部材７は、基板８（図１）にレイアウトされた導電部のプリント配線８ａの円弧部８ｂと、無口金電球Ｌの接続端子Ｌ３との間を通電可能に接続するためのものである。
【００２７】
図６は、端子部材７の一実施形態を示す図であり、（イ）は、その断面図、（ロ）は、一対の端子部材が装着される状態における正面図である。図６に示すように、端子部材７は、ソケット１の嵌挿室３ｄに嵌挿される短冊状の端子基体７ａと、この端子基体７ａの両側端縁から同一方向に向けて折り曲げられて形成され電球の接続端子Ｌ３と電気接続される電球接触端子７ｂと、端子基体７ａの図６の（イ）における下端部から斜め外方（図６の（イ）における左方）に向けて折り曲げられて形成されるプリント配線８ａと電気接続される外部接触端子７ｃとを備えて構成されている。
【００２８】
その端子基体７ａは、外幅寸法が嵌挿室３ｄの内幅寸法より僅かに小さく寸法設定されているとともに、長さ寸法が嵌挿室３ｄの深さ寸法と略同一に寸法設定され、これによって幅方向に横断した状態で一対の電球接触端子７ｂとともに嵌挿室３ｄに嵌挿され得るようになっている。電球接触端子７ｂは端子基体７ａからの突出量が、図５に示すように、嵌挿室３ｄ内の端壁面と案内条３ｅの側壁面との間の距離より僅かに小さく設定されている。従って、端子基体７ａを嵌挿室３ｄに嵌挿した状態で、電球接触端子７ｂが嵌挿室３ｄ内の端壁面と案内条３ｅの側壁面との間に嵌り込み、これによって端子部材７の嵌挿室３ｄへの嵌挿状態が位置決めされるようになっている。
【００２９】
また、端子基体７ａの適所には、外方（図６の（イ）における右方）に向けて切り起されることにより形成した切起し突起７ｄが設けられている。この切起し突起７ｄは、端子部材７をソケット１の嵌挿室３ｄ内に装着するに際し、マイナスドライバーのような所定の取付け治具の先端を当止させるためのものであり、この当止状態で取付け治具により端子基体７ａを装着筒４内に強く押し込むことによって端子部材７がソケット１に装着された状態になる。
【００３０】
そして、電球接触端子７ｂの図６における下部位置には、互いに対向する方向に向けて膨出するように折り曲げ処理されて形成した膨設部７ｅが設けられ、嵌挿室３ｄに嵌挿された無口金電球Ｌの扁平部Ｌ２は、互いに離間方向に向けて弾性変形したこれら膨設部７ｅによって押圧挟持され、これによって導出線Ｌ３と電球接触端子７ｂとの間の電気的な接続状態が確実に得られるようになる。
【００３１】
外部接触端子７ｃは、端子基体７ａに対して鈍角（本実施形態では略１１０°）になるように角度設定され、これによって端子基体７ａが嵌挿室３ｄに嵌挿された状態で、図４に示すように、フランジ６との間に若干の隙間が形成され、この隙間に向かって弾性変形し得るようになっている。かかる外部接触端子７ｃには、その中央部に図６における下方に向けて半球状に膨出した接点７ｆが設けられている。ソケット１が基板８に装着された状態では、この接点７ｆがプリント配線８ａの円弧部８ｂに当接されることになる。
【００３２】
一方、基板８には、図１に示すように、無口金電球Ｌの装着されたソケット１を差し込むための装着孔８ｃが穿設されている。この装着孔８ｃは、孔径寸法がソケット１の装着筒４の外径寸法より若干大きめに径設定されているとともに、当該装着孔８ｃの対向縁部には係止突片５を挿通させ得る一対の切込み部８ｄが設けられ、ソケット１を無口金電球Ｌ側から装着孔８ｃに差し込むことによって一対の係止突片５が対応した切込み部８ｄにそれぞれ嵌り込んだ状態でフランジ６が切込み部８ｄの縁部に当止するようになっている。
【００３３】
ソケット１の係止突片５の係止突部５ｃとフランジ６との間の隙間寸法は、基板８と導電部８ｂとの合計厚み寸法より僅かに小さいように係止突片５の設置位置が設定されている。従って、ソケット１の操作摘み部３を指で挟持して一対の係止突片５が各切込み部８ｄに対応するように位相設定した状態で、図１の矢印で示すように、無口金電球Ｌを装着孔８ｃに差し込んでいくことにより、ソケット１のフランジ６より下の部分、すなわち装着筒４が装着孔８ｃに嵌り込むとともに、係止突片５が切込み部８ｄに嵌り込んだ状態になる。
【００３４】
この状態で操作摘み部３を回動してソケット１を軸心回りに時計方向に回すことによって、係止突片５の係止突部５ｃが基板８の裏面側を押圧しながら回動し、係止突部５ｃとフランジ６との間の隙間が装着孔８ｃの縁部の基板８と円弧部８ｂが積層された部分を挟み込むため、ソケット１は、係止突部５ｃとフランジ６とによる装着孔８ｃ縁部の押圧挟持によって基板８の装着孔８ｃに強く係止されて装着されることになる。
【００３５】
そして、ソケット１が装着孔８ｃに装着された状態では、弾性力を有した外部接触端子７ｃが基板８のプリント配線８ａの円弧部８ｂに接続されるとともに、電球接触端子７ｂが無口金電球Ｌの導出線Ｌ３に接続された状態になるため、所定の電力がプリント配線８ａを介して無口金電球Ｌに供給され得るようになり、図略のスイッチ操作で無口金電球Ｌが点灯する。
【００３６】
本発明のソケット１は、以上詳述したように、装着された無口金電球Ｌ側から基板８の装着孔８ｃに嵌挿され軸心回りの所定方向への回動操作により抜け止め状態で無口金電球Ｌへの通電が可能となるように構成されたものであり、前記無口金電球Ｌを同心で受容する電球受容部２と、無口金電球Ｌ側の反対側の面から電球受容部２を横断するように突設された操作摘み部３とが備えられ、操作摘み部３の各側面には、軸心方向に延びる複数条の凸条３ｃが設けられているため、ソケット１を基板８に対して着脱するに際し、操作摘み部３を指で摘むと、指先が滑らずに複数の凸条３ｃに当接して、操作摘み部３を指先でしっかりと挟持することができる。
【００３７】
そして、凸条３ｃは、操作摘み部３の各側面に電球受容部２の軸心方向であるとともに突出部３ａの軸心方向に延びるように設けられているため、指で摘んだ操作摘み部３を軸心回りに回動させるように操作摘み部３にねじり操作を加えると、凸条３ｃを指先がしっかりと捕捉しているため、これによって指先が操作摘み部３から外れるような不都合が有効に防止される。従って、たとえ操作摘み部３が指先の大きさに比べて相当小さくて摘み難くても、複数の凸条により操作摘み部３を確実にねじることが可能になり、ソケット１を容易に且つ迅速に着脱することができる。
【００３８】
本発明は、上記の実施形態に限定されるものではなく、以下の内容をも包含するものである。
【００３９】
（１）上記の実施形態においては、操作摘み部３の突出部３ａを挟んだ対称位置で突出部から延設して放射状に形成された１対の挟持片３ｂの各側面に指が引っ掛って指を掛止めする凸条３ｃが３条ずつ設けられているが、本発明は、凸条３ｃが３条であることに限定されるものではなく、状況に応じて２条以下でもよいし４条以上としてもよい。
【００４０】
（２）また上記の実施形態においては、挟持片３ｂは突出部の対称位置に放射状に二股形状に形成しているが、図７に示すように二股状にしなくても良いし、上記の実施形態や、図７の（イ）に示す実施形態のように、挟持片３ｂの基準面Ｓから外方に向けて膨出された凸条３ｃのほか、図７の（ロ）に示すように、同基準面Ｓに凹設されることによって形成された凹条３ｃ′であってもよい。また、上記した指の掛止めは、電球受容部の軸心と交差する方向に設けても良いことは勿論である。更に、掛け止めは、挟持片３ｂの２つの側面に設けているが、１側面だけに設けても良い。
【００４１】
【発明の効果】
以上説明したように、本発明は、電球受容部の無口金電球側と反対側の面に突設された操作摘み部を有する無口金電球用ソケットであり、特に操作摘み部の各側面に複数の凸条または凹条の指の掛止めが設けられているため、無口金電球用ソケットを基板に対して着脱するに際し、操作摘み部を指で摘むことにより、当該凸条または凹条を指先がしっかりと捕捉し操作摘み部を強固に挟持できるために、指で摘んだ操作摘み部を軸心回りに回動させても、操作摘み部に対する摩擦力の増大で指先が操作摘み部から外れるような不都合が確実に防止され、またたとえ操作摘み部が指先の大きさに比べて相当小さくても、操作摘み部を回動させて無口金電球用ソケットを容易に且つ迅速に着脱することができ、当該ソケットの小型化に対応することができる。
【図面の簡単な説明】
【図１】本発明に係る無口金電球用ソケットの第１の実施形態を示す斜視図
【図２】図１のソケットのＡ方向から見た平面図
【図３】図１のソケットのＢ方向から見た側面図
【図４】図１のソケットのＣ−Ｃ線断面図
【図５】図１に示すソケットをＤ方向から見た平面図
【図６】（イ）本発明の無口金電球のソケットに装着される端子部材の断面図
（ロ）同端子部材の正面図
【図７】（イ）本発明の無口金電球の第２の実施形態を示す平面図
（ロ）本発明の無口金電球の第３の実施形態を示す平面図
【符号の説明】
１　ソケット
２　電球受容部
３　操作摘み部
３ａ　突出部
３ｂ　挟持片
３ｃ　凸条
３ｃ′　凹条
４　装着筒
５　係止突片
６　フランジ
７　端子部材
８　基板
８ａ　プリント配線
８ｂ　円弧部
８ｃ　装着孔
Ｌ　無口金電球
【図１】
2004022329.tif 000003
【図２】
2004022329.tif 000004
【図３】
2004022329.tif 000005
【図４】
2004022329.tif 000006
【図５】
2004022329.tif 000007
【図６】
2004022329.tif 000008
【図７】
2004022329.tif 000009